(57)【要約】【課題】竪枠と底板支持枠との連結が容易で止水しやすい出窓の提供を目的とする。【解決手段】出窓は、竪枠と底板支持枠とを備え、底板支持枠は垂直板部と水平板部と底板支持枠側躯体取付フィンとを有し、底板支持枠側躯体取付フィンは、躯体と平行な底板支持枠側平面部と底板支持枠側平面部に連続し且つ躯体に当接する底板支持枠側躯体当接部を有し、竪枠は、下端を水平にカットしてあり、且つ竪枠本体部と竪枠側躯体取付フィンとを有し、竪枠側躯体取付フィンは、躯体と平行な竪枠側平面部と竪枠側平面部に連続し且つ躯体に当接する竪枠側躯体当接部を有し、竪枠側躯体取付フィンの竪枠側平面部の下端が水平板部の垂直板部側側端部に載置してあると共に、竪枠本体部が水平板部に載置して固定してあり、竪枠本体部の下面と水平板部との間にシーリング材が設けてあり、竪枠側平面部と底板支持枠側平面部が略同一面で連続している。【選択図】  図１
2006274592.tif 000002
【特許請求の範囲】
【請求項１】
竪枠と、底板支持枠とを備え、
底板支持枠は、躯体に対向する垂直板部と、垂直板部から正面に向けて突出する水平板部と、水平板部の下面から下方に突出する底板支持枠側躯体取付フィンとを有し、
底板支持枠側躯体取付フィンは、躯体と平行な底板支持枠側平面部と底板支持枠側平面部に連続し且つ躯体に当接する底板支持枠側躯体当接部を有し、
垂直板部の側端部と底板支持枠側躯体取付フィンの側端部と水平板部の底板支持枠側躯体取付フィンよりも垂直板部側の側端部とが、水平板部の底板支持枠側躯体取付フィンよりも正面側の側端部の側方に突出し、
竪枠は、下端を水平にカットしてあり、且つ竪枠本体部と、竪枠本体部から側方に突出する竪枠側躯体取付フィンと、垂直板部よりも上方位置に設けた上下方向の躯体当接突条とを有し、
竪枠側躯体取付フィンは、躯体と平行な竪枠側平面部と竪枠側平面部に連続し且つ躯体に当接する竪枠側躯体当接部を有し、
竪枠本体部及び竪枠側躯体取付フィンの竪枠側平面部の下端部の躯体側面が垂直板部の正面側面に当接し、竪枠側躯体取付フィンの竪枠側平面部の下端が水平板部の垂直板部側側端部に載置してあると共に、竪枠本体部が水平板部に載置して固定してあり、竪枠本体部の下面と水平板部との間にシーリング材が設けてあり、竪枠側平面部と底板支持枠側平面部が略同一面で連続していることを特徴とする出窓。
【発明の詳細な説明】
【技術分野】
【０００１】
本発明は、建物の屋外開口部に取り付ける出窓に関する。
【背景技術】
【０００２】
建物の開口部屋外側に張り出して取り付ける出窓の底板支持枠部分の止水構造としては、特開平１１−１９０１７３号公報に示したものが公知である。
しかし、竪枠側の躯体取付フィンと底板側の躯体取付フィンが不連続で防水テープが貼りにくく漏水の原因になっていた。
【０００３】
【特許文献１】特開平１１−１９０１７３号公報
【発明の開示】
【発明が解決しようとする課題】
【０００４】
本発明は上記背景技術に鑑みて、竪枠側の躯体取付フィンと底板側（底板支持枠側）の躯体取付フィンとの連結部における水密性の良好な出窓の提供を目的とする。
【課題を解決するための手段】
【０００５】
本発明に係る出窓は、竪枠と、底板支持枠とを備え、底板支持枠は、躯体に対向する垂直板部と、垂直板部から正面に向けて突出する水平板部と、水平板部の下面から下方に突出する底板支持枠側躯体取付フィンとを有し、底板支持枠側躯体取付フィンは、躯体と平行な底板支持枠側平面部と底板支持枠側平面部に連続し且つ躯体に当接する底板支持枠側躯体当接部を有し、垂直板部の側端部と底板支持枠側躯体取付フィンの側端部と水平板部の底板支持枠側躯体取付フィンよりも垂直板部側の側端部とが、水平板部の底板支持枠側躯体取付フィンよりも正面側の側端部の側方に突出し、竪枠は、下端を水平にカットしてあり、且つ竪枠本体部と、竪枠本体部から側方に突出する竪枠側躯体取付フィンと、垂直板部よりも上方位置に設けた上下方向の躯体当接突条とを有し、竪枠側躯体取付フィンは、躯体と平行な竪枠側平面部と竪枠側平面部に連続し且つ躯体に当接する竪枠側躯体当接部を有し、竪枠本体部及び竪枠側躯体取付フィンの竪枠側平面部の下端部の躯体側面が垂直板部の正面側面に当接し、竪枠側躯体取付フィンの竪枠側平面部の下端が水平板部の垂直板部側側端部に載置してあると共に、竪枠本体部が水平板部に載置して固定してあり、竪枠本体部の下面と水平板部との間にシーリング材が設けてあり、竪枠側平面部と底板支持枠側平面部が略同一面で連続していることを特徴とする。
ここで、正面とは出窓の屋外側をいい、側方とは屋外側から出窓に向かって左右の横方向をいう。
【発明の効果】
【０００６】
本発明においては、竪枠本体部及び竪枠側躯体取付フィンの竪枠側平面部を底板支持枠の水平板部の垂直板部側側端部に載置し、竪枠本体部の下面と水平板部との間にシーリング材を設け（挟着し）、竪枠側躯体取付フィンの竪枠側平面部と底板支持枠側躯体取付フィンの底板支持枠側平面部とは略同一面で連続するようにしたので防水テープが貼りやすく止水しやすい。
また、竪枠の下端を水平にカットし、竪枠本体部及び竪枠側躯体取付フィンの竪枠側平面部を底板支持枠の水平板部に載置できるようにしたので簡単な加工で組み立てることができる。
【発明を実施するための最良の形態】
【０００７】
本発明を適用した出窓の例を図面に基づいて以下説明する。
図３に出窓の横断面を示し、図４に正面部のａ−ａ線に相当する出窓の縦断面図を示し、図５に袖部のｂ−ｂ線断面図を示す。
図３に示すように、出窓の袖部に位置する竪枠１０を躯体の外壁部１、及び躯体開口部の側板２に取付部材１２ｃにてネジ固定してある。
図３に示した例では出窓の正面部に引違い窓５を装着し、袖側に嵌殺し窓４を装着していて、引違い窓部と嵌殺し窓部４を立枠２０にて連結している。
【０００８】
図４に示すように出窓の下側は、躯体１に底板支持枠３０を取り付け、底板支持枠３０から正面側に底板４０を張り出して取り付け、その上に断熱材６等を入れて地板７を取り付けてある。
躯体の開口部上部には天板３を取り付けてある。
また、正面側には正面下枠８と正面上枠９を取り付けてその間に引違い障子及び網戸を装着している。
【０００９】
図５に示すように、袖部は底板４０と袖下枠５０を連結し、袖上枠９ａと袖下枠５０との間に嵌殺し窓４を装着してある。
図４及び図５に示すように、正面上枠９、袖上枠９ａには鼻隠し７１を取り付け、その上に屋根７４を取り付けている。
なお、７２は水切り部である。
【００１０】
次に、竪枠と底板支持枠の連結構造を図１及び図２に基づいて説明する。
図４に示すように、底板支持枠３０は躯体１に取り付け、図３に示すように竪枠１０を立ち上げている。
底板支持枠は図１に示すように、躯体に対向する垂直板部３１と、垂直板部から正面に向けて突出する水平板部３２と、水平板部の下面から下方に突出する底板支持枠側躯体取付フィン３３とを有している。
底板支持枠側躯体取付フィン３３は、底板支持枠側平面部３３ａと、この底板支持枠側平面部に連続し、躯体に当接する底板支持枠側躯体当接部３３ｂを有している。
垂直板部３１の側端部３１ｂと底板支持枠側躯体取付フィン３３の側端部３３ｃと水平板部３２の底板支持枠側躯体取付フィンよりも垂直板部側の側端部３２ｂとが、水平板部の底板支持枠側躯体取付フィンよりも正面側の側端部３２ａの側方に突出している。
図１（ａ）に躯体に当接する躯体当接突状１３側からみた竪枠１０の斜視図を示し、図１（ｂ）に正面側からみた斜視図を示す。
竪枠の下端１１ｂは水平にカットしてあり、竪枠本体部１１と竪枠本体部から側方に突出する竪枠側躯体取付フィン１２と、躯体に当接する上下方向の躯体当接突条１３とを有している。
竪枠側躯体取付フィン１２は、竪枠側平面部１２ａと竪枠側平面部に連続し、躯体に当接する竪枠側躯体当接部１２ｂとを有している。
躯体当接突条１３は下端側を切除し、切除部１３ａにより底板支持枠の垂直板部３１の挿入空間を形成している。
竪枠本体部１１及び竪枠側躯体取付フィン１２の竪枠側平面部１２ａの下端が、水平板部の垂直板部側側端部３２ｃに載置し、竪枠本体部の下面１１ｂと水平板部３２の上面との間にシーリング材１５を挟着し、ビス等の連結部材３５を底板支持枠の取付孔３４及び、シーリング材の取付孔１５ａに挿通し竪枠のビスホール１４に螺着する。
この場合に、竪枠側躯体取付フィンの竪枠側平面部１２ａの下端部の躯体側面が垂直板部３１の正面側面に当接していて図２に示すように、竪枠側躯体取付フィン１２の竪枠側平面部１２ａと底板支持枠側躯体取付フィン３３の底板支持枠側平面部３３ａとは略同一面で連続しているので、この上に防水テープを連続的に貼りやすく防水作業がしやすい。
【図面の簡単な説明】
【００１１】
【図１】出窓の竪枠と底板支持枠との止水構造を示す。
【図２】竪枠と底板支持枠との連結状態を示す。
【図３】出窓の横断面図を示す。
【図４】出窓のａ−ａ線に相当する縦断面図を示す。
【図５】出窓のｂ−ｂ線に相当する縦断面図を示す（袖部）。
【符号の説明】
【００１２】
１０      竪枠
１１      竪枠本体部
１２      竪枠側躯体取付フィン
１３      躯体当接突条
１５      シーリング材
３０      底板支持枠
３１      垂直板部
３２      水平板部
３３      底板支持枠側躯体取付フィン
【図１】
2006274592.tif 000003
【図２】
2006274592.tif 000004
【図３】
2006274592.tif 000005
【図４】
2006274592.tif 000006
【図５】
2006274592.tif 000007